(57)【要約】【課題】筐体を横架する部材が設けられていても、燃料漏れの有無を確認する作業を行いやすく、カバー部材を取り付けやすいコンロを提供する。【解決手段】コンロ１は、筐体２の右側壁部２１と左側壁部２２との間を左右方向に延びて横架する細長板状の第一架設部材４１を有する。右コンロバーナ４及び左コンロバーナ５は、第一架設部材４１に支持される。第一カバー部３１及び第二カバー部３２は、突出部３０２及び前縁部３０８を第一架設部材４１の手前側に配置し、延設部３０１を第一架設部材４１の下側に配置することで、第一架設部材４１の下側をくぐるようにして配置される。筐体２の前側壁部２３に対してねじ止め固定される前の状態の第一カバー部３１及び第二カバー部３２は、第一架設部材４１に沿って左右方向にスライド可能である。【選択図】図２
2019023538.tif 000002
【特許請求の範囲】
【請求項１】
上部が開口され、左右方向における中央部にグリル庫が配置される筐体と、
前記筐体の側壁同士を前記グリル庫の上方において架設する架設部材と、
前記架設部材に取り付けられるコンロバーナと、
前記コンロバーナを含む複数のバーナに燃料を供給する複数の燃料供給装置と
を備えたコンロであって、
前記複数の燃料供給装置のうち一部の燃料供給装置は、前記筐体の前記側壁のうち第一方向の側の前記側壁である第一側壁と前記グリル庫との間に配置され、
前記複数の燃料供給装置のうち前記一部の燃料供給装置とは異なる他の燃料供給装置は、前記筐体の前記側壁のうち前記第一側壁とは反対側の第二側壁と前記グリル庫との間に配置され、
前記架設部材の下側を延びる第一延設部及び前記第一延設部の前方において前記架設部材の下端よりも上方に突出する第一突出部を有し、前記第一突出部を前記架設部材と前記筐体の前壁部との間に配置して前記一部の燃料供給装置の上側を覆った状態で前記筐体に対して固定される第一部材と、
前記架設部材の下側を延びる第二延設部及び前記第二延設部の前方において前記架設部材の下端よりも上方に突出する第二突出部を有し、前記第二突出部を前記架設部材と前記筐体の前壁部との間に配置して前記他の燃料供給装置の上側を覆った状態で前記筐体に対して固定される第二部材と
を備え、
前記筐体に固定される前の状態の前記第一部材及び前記第二部材は、前記第一延設部及び前記第二延設部を前記架設部材の下側に配置し、前記第一突出部及び前記第二突出部を前記架設部材と前記筐体の前壁部との間に配置した状態で、前記架設部材に沿った方向に移動可能であることを特徴とするコンロ。
【請求項２】
前記第一部材の左右方向の長さである第一長さは、前記筐体の前記第一側壁と、前記グリル庫の側部のうち前記第一側壁と対向する側の第一側部との間の左右方向の長さよりも長く、且つ、前記第一長さは、前記グリル庫の左右方向の長さよりも短く、
前記第二部材の左右方向の長さである第二長さは、前記筐体の前記第二側壁と、前記グリル庫の前記側部のうち前記第一側部とは反対側の第二側部との間の左右方向の長さよりも長く、且つ、前記第二長さは、前記グリル庫の左右方向の長さよりも短く、
前記第一突出部及び前記第二突出部は、前記架設部材に沿って上方に突出していることを特徴とする請求項１に記載のコンロ。
【請求項３】
前記第一部材及び前記第二部材が上下方向に互いに重ね合された状態において、
前記第一延設部及び前記第二延設部のなす上下方向の長さは、前記グリル庫の上面と前記架設部材との間の上下方向の長さよりも短く、
前記第一部材及び前記第二部材のなす左右方向の長さは、前記グリル庫の左右方向の長さよりも短いことを特徴とする請求項２に記載のコンロ。
【請求項４】
前記第一部材の形状と前記第二部材の形状とが同一であることを特徴とする請求項１から３のいずれかに記載のコンロ。
【請求項５】
前記第一延設部及び前記第二延設部は、前記第一延設部及び前記第二延設部のそれぞれの上面よりも一段下方に窪んだ部分である第一部分と、前記第一部分よりも下方に位置し、正面視で弧状に窪んで前記第一部分側から後方に向けて延びる第二部分とを備え、
前記第二部分の後端部は、前方から後方に向けて拡径するラッパ状に形成されていることを特徴とする請求項１から４のいずれかに記載のコンロ。
【発明の詳細な説明】
【技術分野】
【０００１】
本発明は、コンロに関する。
【背景技術】
【０００２】
従来、コンロバーナの有する貫通口からコンロの内部へ浸入した煮汁等の液体がコンロ内部の各種機器にかかることを防止するためのカバー部材を設けたコンロが知られている。特許文献１に開示されたガスコンロは、平面視においてバーナの貫通口を含む部分に位置するように煮こぼれカバーを備える。煮こぼれカバーは、貫通口から進入した煮汁を受け、受けた煮汁を排出口から下方に排出する。
【先行技術文献】
【特許文献】
【０００３】
【特許文献１】特開２０１５−１３７７７１号公報
【発明の概要】
【発明が解決しようとする課題】
【０００４】
コンロの製造過程において、コンロバーナ等に燃料を供給する燃料供給装置及び燃料供給装置に連結する燃料配管に種火を近づけることで、燃料供給装置及び燃料配管に燃料漏れが生じていないかを確認する作業が行われる。上記の煮こぼれカバーは、燃料供給装置に液体がかかることによる燃料供給装置等の故障を防止するため、燃料供給装置を覆うように設けられる。煮こぼれカバーが燃料供給装置の上方に設けられた状態では、作業者は、燃料漏れの有無を確認する作業を行いにくい。燃料漏れの有無を確認する作業を行った後に煮こぼれカバーを取り付けることも考えられる。しかしながら、バーナ受け桟等、コンロ筐体を横架する部材がコンロ筐体に設けられる場合には、コンロ筐体を横架する部材及びコンロバーナがコンロ筐体に取り付けられた後に煮こぼれカバーを取り付けることが難しいといった問題がある。
【０００５】
本発明はこのような問題点を解決するためになされたものであり、筐体を横架する部材が設けられていても、燃料漏れの有無を確認する作業を行いやすく、カバー部材を取り付けやすいコンロを提供することを目的とする。
【課題を解決するための手段】
【０００６】
本発明の請求項１に係るコンロは、上部が開口され、左右方向における中央部にグリル庫が配置される筐体と、前記筐体の側壁同士を前記グリル庫の上方において架設する架設部材と、前記架設部材に取り付けられるコンロバーナと、前記コンロバーナを含む複数のバーナに燃料を供給する複数の燃料供給装置とを備えたコンロであって、前記複数の燃料供給装置のうち一部の燃料供給装置は、前記筐体の前記側壁のうち第一方向の側の前記側壁である第一側壁と前記グリル庫との間に配置され、前記複数の燃料供給装置のうち前記一部の燃料供給装置とは異なる他の燃料供給装置は、前記筐体の前記側壁のうち前記第一側壁とは反対側の第二側壁と前記グリル庫との間に配置され、前記架設部材の下側を延びる第一延設部及び前記第一延設部の前方において前記架設部材の下端よりも上方に突出する第一突出部を有し、前記第一突出部を前記架設部材と前記筐体の前壁部との間に配置して前記一部の燃料供給装置の上側を覆った状態で前記筐体に対して固定される第一部材と、前記架設部材の下側を延びる第二延設部及び前記第二延設部の前方において前記架設部材の下端よりも上方に突出する第二突出部を有し、前記第二突出部を前記架設部材と前記筐体の前壁部との間に配置して前記他の燃料供給装置の上側を覆った状態で前記筐体に対して固定される第二部材とを備え、前記筐体に固定される前の状態の前記第一部材及び前記第二部材は、前記第一延設部及び前記第二延設部を前記架設部材の下側に配置し、前記第一突出部及び前記第二突出部を前記架設部材と前記筐体の前壁部との間に配置した状態で、前記架設部材に沿った方向に移動可能であることを特徴とする。
【０００７】
請求項２に係るコンロは、請求項１に記載の構成に加えて、前記第一部材の左右方向の長さである第一長さは、前記筐体の前記第一側壁と、前記グリル庫の側部のうち前記第一側壁と対向する側の第一側部との間の左右方向の長さよりも長く、且つ、前記第一長さは、前記グリル庫の左右方向の長さよりも短く、前記第二部材の左右方向の長さである第二長さは、前記筐体の前記第二側壁と、前記グリル庫の前記側部のうち前記第一側部とは反対側の第二側部との間の左右方向の長さよりも長く、且つ、前記第二長さは、前記グリル庫の左右方向の長さよりも短く、前記第一突出部及び前記第二突出部は、前記架設部材に沿って上方に突出していることを特徴とする。
【０００８】
請求項３に係るコンロは、請求項２に記載の構成に加えて、前記第一部材及び前記第二部材が上下方向に互いに重ね合された状態において、前記第一延設部及び前記第二延設部のなす上下方向の長さは、前記グリル庫の上面と前記架設部材との間の上下方向の長さよりも短く、前記第一部材及び前記第二部材のなす左右方向の長さは、前記グリル庫の左右方向の長さよりも短いことを特徴とする。
【０００９】
請求項４に係るコンロは、請求項１から３のいずれかに記載の構成に加えて、前記第一部材の形状と前記第二部材の形状とが同一であることを特徴とする。
【００１０】
請求項５に係るコンロは、請求項１から４のいずれかに記載の構成に加えて、前記第一延設部及び前記第二延設部は、前記第一延設部及び前記第二延設部のそれぞれの上面よりも一段下方に窪んだ部分である第一部分と、前記第一部分よりも下方に位置し、正面視で弧状に窪んで前記第一部分側から後方に向けて延びる第二部分とを備え、前記第二部分の後端部は、前方から後方に向けて拡径するラッパ状に形成されていることを特徴とする。
【発明の効果】
【００１１】
請求項１に係るコンロは、第一部材が筐体に対して固定される前の状態で、第一部材の第一延設部を架設部材の下側に潜らせたまま第一突出部を架設部材に沿って移動させることができる。これにより、作業者は、一部の燃料供給装置に対する燃料漏れの有無を確認する作業を行いやすい。また、作業者は、燃料漏れがないことを確認した後、第一突出部を架設部材に沿って筐体の第一側壁に向けて移動させることで、第一部材を固定すべき位置に容易に配置できる。作業者は、第二部材についても第一部材と同様に、他の燃料漏れの有無を確認する作業時には第二部材を移動させることができ、作業終了後には、第二部材を固定すべき位置に容易に配置できる。したがって、請求項１に係るコンロは、筐体を横架する架設部材が設けられていても、燃料漏れの有無を確認する作業を行いやすく、また、第一部材及び第二部材を取り付けやすくできる。
【００１２】
請求項２に係るコンロは、請求項１に記載の発明の効果に加え、第一部材が筐体に対して固定される前の状態で、第一部材をグリル庫の上側に退避させることができる。また、作業者は、作業終了後には、第一部材を固定すべき位置に容易に配置できる。作業者は、第二部材についても第一部材と同様に、作業時には第二部材をグリル庫の上側に退避させることができ、作業終了後には、第二部材を固定すべき位置に容易に配置できる。したがって、請求項２に係るコンロは、筐体を横架する架設部材が設けられていても、作業スペースを確保できる。
【００１３】
請求項３に係るコンロは、請求項２に記載の発明の効果に加え、第一部材と第二部材とを上下方向に重ね合わせた状態で、第一部材と第二部材との双方をグリル庫の上側に配置できる。この場合、作業者は、第一部材と第二部材との双方をグリル庫の上側に退避させた状態で、一部の燃料供給装置に対する燃料漏れの有無を確認する作業と、他の燃料供給装置に対する燃料漏れの有無を確認する作業とを連続して行うことができる。作業終了後には、作業者は、第一部材を筐体の左側壁に向けて、第二部材を筐体の右側壁に向けて、それぞれ移動させることで、第一部材及び第二部材の双方を固定すべき位置に容易に配置できる。したがって、請求項２に係るコンロは、コンロの生産性を向上できる。
【００１４】
請求項４に係るコンロは、請求項１から３のいずれかに記載の発明の効果に加え、第一部材と第二部材とを互いに同一形状としているので、第一部材と第二部材とをぴったりと重ね合わせ易い。この場合、コンロは、第一部材及び第二部材をコンパクトに重ね合わせることができるので、燃料漏れの有無を確認する作業を行うためのスペースを筐体内部において確保しやすい。また、第一部材と第二部材とが共通化されるので、コンロ部品の管理コストが低減される。
【００１５】
請求項５に係るコンロは、請求項１から４のいずれかに記載の発明の効果に加え、第一延設部及び第二延設部に受け止められた煮汁等の液体を、第一部分に溜めることができる。第二部分は、第一部分よりも下方に位置するので、第一部分に溜まった液体は第二部分に移動する。第二部分に移動した液体は、その後端部から後方に向けて排出される。第二部分の後端部がラッパ形状に形成されているので、後端部から排出される液体が第二部分の下面を伝いにくく、コンロは、燃料供給装置に液体が付着すること防止できる。
【図面の簡単な説明】
【００１６】
【図１】コンロ１の斜視図である。
【図２】天板３を省略したコンロ１の平面図である。
【図３】第一カバー部３１の斜視図である。
【図４】第一カバー部３１の右側面図である。
【図５】第一カバー部３１及び第二カバー部３２をグリル庫２５の上側に移動させた状態を示すコンロ１の平面図である。
【図６】第一架設部材４１、第二架設部材４２、第三架設部材４３及びバーナをさらに省略したコンロ１の平面図である。
【発明を実施するための形態】
【００１７】
以下、本発明の実施形態を説明する。以下に記載されている装置の構造は、特定的な記載がない限り、それのみに限定する趣旨ではなく、単なる説明例である。図面は、本発明が採用しうる技術的特徴を説明するために用いられているものである。以下説明では、図中に矢印で示す左右、前後、上下を使用する。
【００１８】
図１を参照して、コンロ１について説明する。コンロ１は、ビルトインタイプのガスコンロである。コンロ１は筐体２と天板３を備える。筐体２は上部が開口した略直方体状に形成される（図２参照）。天板３は、右コンロバーナ４、左コンロバーナ５及び奥コンロバーナ６を挿通させるための開口（図示略）を有しており、筐体２の開口部分に天板３が設置されると、天板３の右手前に右コンロバーナ４、左手前に左コンロバーナ５、中央奥側に奥コンロバーナ６が配置される。天板３の後方部には、筐体２内に設置されたグリル庫２５（図２参照）からの燃焼排気を外部に排出する排気口７が設けられる。
【００１９】
コンロ１の前面の略中央には、グリル扉８が設けられる。グリル扉８は、グリル庫２５の前側開口部分を開閉する。グリル扉８の右側の領域には、正面視円形状の２つの操作つまみ１１、１２が左右方向に並んで設けられる。グリル扉８の左側の領域には、操作つまみ１１、１２と同じ高さの位置に、同一形状の２つの操作つまみ１３、１４が左右方向に並んで設けられる。操作つまみ１１〜１４のそれぞれは、右コンロバーナ４、グリル庫２５内のグリルバーナ（図示略）、奥コンロバーナ６、左コンロバーナ５の点火、消火及び火力調節を行うために操作される。右コンロバーナ４、左コンロバーナ５及び奥コンロバーナ６を総称する場合、以下では、単にバーナという。操作つまみ１１〜１４は、それぞれ、燃料供給装置５１〜５４（図５及び図６参照）の前端部に取り付けられる。
【００２０】
図２を参照して、筐体２の内部の構造について説明する。筐体２は、筐体２の右側壁、左側壁、前側壁及び後側壁をなす、右側壁部２１、左側壁部２２、前側壁部２３及び後側壁部２４を備える。筐体２の内側上部に、右側壁部２１と左側壁部２２との間を左右方向に延びて横架する細長板状の第一架設部材４１及び第二架設部材４２が設けられる。第一架設部材４１は前側に、第二架設部材４２は後側に配置され、互いに略平行に設けられている。第一架設部材４１の左右方向略中央部と第二架設部材４２の左右方向略中央部との間に、前後方向に延びる細長板状の第三架設部材４３が架設される。第一架設部材４１、第二架設部材４２及び第三架設部材４３は、筐体２を補強するため、また、右コンロバーナ４、左コンロバーナ５及び奥コンロバーナ６を筐体２の内側に支持するために設けられる。第一架設部材４１の上面右側に右コンロバーナ４が、上面左側に左コンロバーナ５が、第二架設部材４２と第三架設部材４３との接続部の上側に奥コンロバーナ６が、それぞれ支持される。
【００２１】
筐体２の内側の左右方向略中央部において、第一架設部材４１、第二架設部材４２及び第三架設部材４３の下側に、略直方体状のグリル庫２５が設けられる。右コンロバーナ４の下側に第一カバー部３１が、左コンロバーナ５の下側に第二カバー部３２が、それぞれ設けられる。右コンロバーナ４及び左コンロバーナ５の使用等により生じた煮こぼれ等の液体が、天板３の開口を介して筐体２の内部に滴下することがある。第一カバー部３１及び第二カバー部３２は、右コンロバーナ４及び左コンロバーナ５のそれぞれに対応する位置の天板３の開口から筐体２の内部に滴下する液体を受け止めるために設けられる。
【００２２】
図２から図４を参照して、第一カバー部３１の形状について説明する。本実施形態において、第一カバー部３１と第二カバー部３２とは、同一形状の同一部材である。したがって、第二カバー部３２の説明を適宜省略する。図２に示すように、第一カバー部３１は、平面視で略長方形状であり、金属製である。コンロ１は、第一カバー部３１と第二カバー部３２とを同一形状の同一部材とすることで、コンロ１の部品の管理コストを軽減できる。
【００２３】
図３に示すように、第一カバー部３１は、延設部３０１、突出部３０２及び前縁部３０８を主に備える。延設部３０１は、第一カバー部３１のうち下側の位置において延びる部分である。突出部３０２は、延設部３０１の前方において、延設部３０１から上方に突出する部分である。突出部３０２は、第一斜面部３０２Ａ、第二斜面部３０２Ｂ及び第三斜面部３０２Ｃを備える。第一斜面部３０２Ａは、延設部３０１の前端部から、延設部３０１の上面に対して斜め上方に折り返して延びる。第二斜面部３０２Ｂは、第一斜面部３０２Ａの前端部から前方に僅かに上り傾斜して延びる。第三斜面部３０２Ｃは、第二斜面部３０２Ｂの前端部から下方に折り返して延びる。このように形成される突出部３０２は、前後方向に同じ幅を有して左右方向に亘って延びる。前縁部３０８は、突出部３０２の前端部（第三斜面部３０２Ｃの下端部）から前方に、延設部３０１の上面と上下方向において略同じ高さで延び、第一カバー部３１及び第二カバー部３２の前縁部を構成する。前縁部３０８にはねじ孔３０９が設けられている。
【００２４】
延設部３０１の左右方向略中央部には、第一部分３０５及び第二部分３０６が設けられる。第一部分３０５は、延設部３０１の上面よりも一段下方に、平面視で略正方形状に窪んだ部分である。第二部分３０６は、第一部分３０５の右側後部から後方に延びる溝状である。第二部分３０６は、前方から後方に向かうほど、延設部３０１に対して下方にＵ字状に窪んで形成される。すなわち、第二部分３０６は、第一部分３０５の側から第一カバー部３１及び第二カバー部３２の後端部の側に向けて下り傾斜する。延設部３０１の右側部分３０１Ａ及び左側部分３０１Ｂは、それぞれ、第一部分３０５の中央部に向けて僅かに下り傾斜した形状に設けられる。延設部３０１の上面と第一部分３０５との境界部は、丸みを帯びて形成され、延設部３０１と第一部分３０５とが滑らかに接続する。第一部分３０５と第二部分３０６との境界部も丸みを帯びて形成され、第一部分３０５と第二部分３０６とが滑らかに接続する。
【００２５】
図２に示すように、第一カバー部３１の延設部３０１は、第一カバー部３１がねじ孔３０９において筐体２の前側壁部２３に対して所定のねじ（図示略）を用いてねじ止め固定された状態で、右コンロバーナ４の下方に配置される。このとき、第一カバー部３１の右端部は筐体２の右側壁部２１に接して配置され、左端部は、グリル庫２５の上方に配置される。第二カバー部３２の左端部は筐体２の左側壁部２２に接して配置され、右端部は、グリル庫２５の上方に配置される。
【００２６】
図４に示すように、第二部分３０６の後端部３０６Ａの下端から延設部３０１の上面までの長さ、すなわち延設部３０１の上下方向の厚さを、厚さＴ１とする。厚さＴ１は、グリル庫２５の上面から第一架設部材４１の下端部までの距離よりも小さい。したがって、第一カバー部３１及び第二カバー部３２が筐体２に対して固定された状態で、第一カバー部３１及び第二カバー部３２それぞれの延設部３０１は、グリル庫２５の上面と第一架設部材４１との間の位置に配置される。
【００２７】
延設部３０１の上面から突出部３０２の上端部までの長さ、すなわち突出部３０２の延設部３０１に対する高さを、高さＨとする。高さＨは、グリル庫２５の上面から第一架設部材４１の下端部までの距離よりも大きい。第一カバー部３１及び第二カバー部３２が筐体２に対して固定された状態で、第一カバー部３１及び第二カバー部３２それぞれの前縁部３０８は、第一架設部材４１の下端部と上下方向においてほぼ同じ位置に配置される。したがって、第一カバー部３１及び第二カバー部３２が筐体２に対して固定された状態で、第一カバー部３１及び第二カバー部３２それぞれの突出部３０２が、第一架設部材４１の下端部よりも上方に配置される。このため、第一カバー部３１及び第二カバー部３２それぞれの突出部３０２を第一架設部材４１と前側壁部２３との間の位置（筐体２の開口部の前縁部）に配置することで、第一カバー部３１及び第二カバー部３２が、第一架設部材４１の下側をくぐるように配置される。
【００２８】
このような第一カバー部３１及び第二カバー部３２の配置及び形状により、右コンロバーナ４及び左コンロバーナ５に対応する位置の天板３の開口から筐体２の内部に向けて滴下する液体は、延設部３０１の上面によって受け止められる。延設部３０１の右側部分３０１Ａ及び左側部分３０１Ｂが、第一部分３０５の中央部に向けて傾斜しているので、延設部３０１の上面に到達した液体は、第一部分３０５に移動する。右側部分３０１Ａ及び左側部分３０１Ｂと第一部分３０５とが滑らかに接続されているので、左側部分３０１Ｂと第一部分３０５の上面から第一部分３０５に向けて液体が集まりやすい。第一部分３０５に接続する第二部分３０６は、第一部分よりも低い位置に設けられており、第一部分３０５と第二部分３０６とが滑らかに接続されているので、第一部分３０５に溜まった液体は第二部分３０６へ移動する。第二部分３０６は、第一部分３０５から離間して後方に向かうほど下方に位置するので、第二部分３０６に移動した液体は、第二部分３０６の上面を流下して、後端部３０６Ａから延設部３０１の後方に向けて排出される。
【００２９】
なお、図３に示すように、延設部３０１の後端部のうち、第二部分３０６が設けられない部分には、延設部３０１の上面から斜め上方に折り返された折返し部３０３，３０４が設けられる。このため、延設部３０１に受け止められた液体が、第二部分３０６の後端部３０６Ａ以外の部分から延設部３０１の後方に排出されることが防止される。図４のＷ領域内に示すように、第二部分３０６の後端部３０６Ａは、前方から後方に向けて溝部の径が拡大するように形成されている。このように、後端部３０６Ａが前方から後方に向けて拡径するラッパ状に形成されているので、後端部３０６Ａから延設部３０１の後方に排出される液体が、後端部３０６Ａの下側に回って第二部分３０６の下面を伝うことが防止される。したがって、第二部分３０６の後端部３０６Ａから排出される液体は、確実に第一カバー部３１及び第二カバー部３２よりも後方に排出される。
【００３０】
前述したように、第一カバー部３１及び第二カバー部３２の延設部３０１の厚さＴ１は、グリル庫２５の上面から第一架設部材４１の下端部までの距離よりも小さい。グリル庫２５の上面から第一架設部材４１の下端部までの間の空間には、第一カバー部３１及び第二カバー部３２以外の部品は配置されない。このため、コンロ１を組み立てる作業者は、筐体２に固定される前の第一カバー部３１及び第二カバー部３２を、第一架設部材４１の下側に延設部３０１をくぐらせた状態を保って、グリル庫２５の上側の位置に移動させることができる。図５を参照して、筐体２に対して固定される前の第一カバー部３１及び第二カバー部３２が、第一架設部材４１に沿って左右方向に移動可能である構成について説明する。第一カバー部３１の突出部３０２が第一架設部材４１と前側壁部２３との間の位置（筐体２の開口部の前縁部）に配置され、第一架設部材４１の下側に延設部３０１が配置されると、突出部３０２が、第一架設部材４１に沿って左右方向に延びた状態で上方に突出する。このため、作業者は、筐体２の前側壁部２３に対して固定される前の第一カバー部３１を第一架設部材４１に沿って左右方向にスライドさせることができる。このとき、突出部３０２が第一架設部材４１に沿って延びているので、作業者は、突出部３０２を第一架設部材に沿わせることで、第一カバー部３１を前後方向において同じ位置において左右方向にスライドさせることができる。作業者は、第二カバー部３２についても、第一カバー部３１と同様に、第一架設部材４１に沿って左右方向にスライドできる。
【００３１】
第一カバー部３１と第二カバー部３２とは、同一形状であるので、作業者は、第一カバー部３１と第二カバー部３２とを、上下方向に互いに重ね合わせることができる。本実施形態において、第一カバー部３１と第二カバー部３２とは、上下方向にぴったりと重ね合わせられる。このため、第一カバー部３１と第二カバー部３２とを重ね合わせた状態で、第一カバー部３１の延設部３０１及び第二カバー部３２の延設部３０１とがなす上下方向の厚さは、第一カバー部３１又は第二カバー部３２の延設部３０１単体の厚さＴ１に、第一カバー部３１又は第二カバー部３２の金属板の厚み等を加えたものとなる。この厚さは、厚さＴ１とほぼ同じ厚さである。本実施形態では、第一カバー部３１と第二カバー部３２とを重ね合わせた状態の第一カバー部３１の延設部３０１及び第二カバー部３２の延設部３０１とがなす上下方向の厚さが、グリル庫２５の上面から第一架設部材４１の下端部までの距離よりも小さい。したがって、作業者は、グリル庫２５の上側にスライドさせた第一カバー部３１と第二カバー部３２とを、上下方向に互いに重ね合わせることで、重なり合う第一カバー部３１及び第二カバー部３２をグリル庫２５の上側に配置できる。図５は、第一カバー部３１を第二カバー部３２の上側にして、第一カバー部３１及び第二カバー部３２が互いに重ね合されている状態を示す。なお、第一カバー部３１と第二カバー部３２とが、第二カバー部３２を上側にして互いに重ね合されても、図５に示す場合と同様に、重なり合う第一カバー部３１及び第二カバー部３２がグリル庫２５の上側に配置される。
【００３２】
このような第一カバー部３１及び第二カバー部３２は、例えば次のような順序で筐体２の内部に取り付けられる。第一架設部材４１、第二架設部材４２、第三架設部材４３及びバーナが取り付けられる前の状態の筐体２に対して、第一カバー部３１及び第二カバー部３２がグリル庫２５の上側に載せ置かれる（図６参照）。なお、図６において、第一カバー部３１と第二カバー部３２とが、第一カバー部３１を上側にして上下方向にぴったりと重ね合わされているとする。その後、第一架設部材４１、第二架設部材４２、第三架設部材４３及びバーナが取り付けられる（図５参照）。その後、後述する所定の確認作業が行われた後、第一カバー部３１は筐体２の右部に、第二カバー部３２は筐体２の左部に、それぞれ第一架設部材４１に沿ってスライドされる。その後、第一カバー部３１及び第二カバー部３２のねじ孔３０９が、筐体２の前側壁部２３に対してねじ止めされる。
【００３３】
図２、図５及び図６を参照して、第一カバー部３１及び第二カバー部３２の大きさと筐体２の内部の構成との関係について説明する。なお、図６においては、図５に対して、第一架設部材４１、第二架設部材４２及び第三架設部材４３の図示が省略されている。図５に示すように、第一カバー部３１及び第二カバー部３２が、最終的に取り付けられる位置からグリル庫２５に向けて移動されると、作業者は、平面視で燃料供給装置５１〜５４を容易に視認できるようになる。燃料供給装置５１は、操作つまみ１１の後方に配置され、右コンロバーナ４に燃料であるガスを供給する。燃料供給装置５２は、操作つまみ１２の後方に配置され、グリルバーナにガスを供給する。燃料供給装置５３は、操作つまみ１３の後方に配置され、奥コンロバーナ６にガスを供給する。燃料供給装置５４は、操作つまみ１４の後方に配置され、左コンロバーナ５にガスを供給する。図６に示すように、燃料供給装置５１，５２は、筐体２の右側壁部２１と、グリル庫２５の右側部２５１との間に配置される。燃料供給装置５３，５４は、筐体２の左側壁部２２と、グリル庫２５の左側部２５２との間に配置される。グリル庫２５の右側部２５１は、グリル庫２５の右側部を構成し、筐体２の右側壁部２１に対向して配置される。グリル庫２５の左側部２５２は、グリル庫２５の左側部を構成し、筐体２の左側壁部２２に対向して配置される。
【００３４】
コンロ１の組み立て作業時には、作業者は、燃料供給装置５１〜５４において燃料漏れ等の不具合が生じていないことを確認する作業を行う必要がある。燃料漏れの有無を確認する作業（以下、「確認作業」という。）は、例えば、コンロ１にガスが供給された状態で、燃料供給装置５１〜５４及び燃料供給装置５１〜５４に接続する燃料配管等に、ライターの火等の種火を近接させることで行われる。図２に示すように、第一カバー部３１及び第二カバー部３２が筐体２に対して固定された状態では、第一カバー部３１及び第二カバー部３２が燃料供給装置５１〜５４の上側を覆っている。このような状態では、作業者は燃料供給装置５１〜５４を視認することが難しく、確認作業を行いにくい。本実施形態では、第一カバー部３１及び第二カバー部３２が筐体２に対して固定される前の状態において、第一カバー部３１及び第二カバー部３２を第一架設部材４１に沿って左右方向に容易に移動できる。よって、作業者は、第一カバー部３１及び第二カバー部３２を筐体２に対して固定する前に、第一カバー部３１及び第二カバー部３２を、燃料供給装置５１〜５４の上側から、燃料供給装置５１〜５４が配置されないグリル庫２５の上側に退避させることができる。これにより、作業者は、確認作業を円滑に行うことができる。
【００３５】
なお、図５は、第一カバー部３１及び第二カバー部３２が第一カバー部３１を上側にして互いに重ね合された状態を示す。作業者は、第一カバー部３１と第二カバー部３２とを重ね合わせることで、第一カバー部３１と第二カバー部３２との双方を同時にグリル庫２５の上側に配置できる。このため、作業者は、燃料供給装置５１，５２に対する確認作業と、燃料供給装置５３，５４に対する確認作業を、連続して行うことができる。すなわち、コンロ１は、確認作業を作業者に効率よく進めさせることができる。なお、第一カバー部３１及び第二カバー部３２は、確認作業時において、必ず同時にグリル庫２５の上側に退避される必要はない。作業者は、第一カバー部３１を右側壁部２１に近接させた状態で第二カバー部３２をグリル庫２５の上側に退避させて燃料供給装置５３，５４に対する確認作業を行った後、第二カバー部３２を左側壁部２２に近接するよう移動させ、第一カバー部３１をグリル庫２５の上側に退避させて燃料供給装置５１，５２に対する確認作業を行ってもよい。
【００３６】
図２に示すように、第一カバー部３１の左右方向の長さは、長さＭ１であり、第二カバー部３２の左右方向の長さは、長さＭ２である。本実施形態では、第一カバー部３１と第二カバー部３２とが同一部材なので、長さＭ１と長さＭ２とは同じ長さである。図６に示すように、筐体２の右側壁部２１とグリル庫２５の右側部２５１との間の長さは、長さＬ１であり、筐体２の左側壁部２２とグリル庫２５の左側部２５２との間の長さは、長さＬ２である。長さＭ１は、長さＬ１よりも長い。長さＭ２は、長さＬ２よりも長い。なお、第一カバー部３１及び第二カバー部３２が筐体２に固定された状態で、第一カバー部３１及び第二カバー部３２の後端部は、燃料供給装置５１〜５４よりも後方に配置される。このため、第一カバー部３１の右端部が右側壁部２１に接した状態で第一カバー部３１が筐体２に対して固定された場合、第一カバー部３１は、燃料供給装置５１，５２の上側全体を覆う。また、第二カバー部３２の左端部が左側壁部２２に接した状態で第二カバー部３２が筐体２に対して固定された場合、第二カバー部３２は、燃料供給装置５３，５４の上側全体を覆う。このため、第一カバー部３１及び第二カバー部３２によって受け止められた液体は、それぞれの第一部分３０５及び第二部分３０６を介して、第二部分３０６の後端部３０６Ａから燃料供給装置５１〜５４よりも後方に排出される。よって、コンロ１は、燃料供給装置５１〜５４に液体がかかることを防止できる。
【００３７】
図６に示すように、グリル庫２５の右側部２５１と左側部２５２との間の長さ、すなわち、グリル庫２５の左右方向の長さは、長さＬ３である。長さＭ１及び長さＭ２は、長さＬ３よりも短い。したがって、コンロ１は、筐体２に対して固定される前の第一カバー部３１及び第二カバー部３２を、グリル庫２５の左右方向の外側にはみ出すことなく、グリル庫２５の上側に退避させることができる。コンロ１は、燃料供給装置５１〜５４の上側から第一カバー部３１及び第二カバー部３２を完全に退避させることができるので、確認作業のための作業スペースを燃料供給装置５１〜５４の上側の位置に十分確保できる。なお、第一カバー部３１と第二カバー部３２とは同一形状であるので、コンロ１は、グリル庫２５の上側において、第一カバー部３１と第二カバー部３２とを上下方向にぴったりと重ね合わせた状態で配置できる。上下方向に互いに重なり合った状態の第一カバー部３１及び第二カバー部３２がなす左右方向の長さは、第一カバー部３１又は第二カバー部３２単体の長さＭ１又は長さＭ２とほぼ同じである。本実施形態では、上下方向に互いに重なり合った状態の第一カバー部３１及び第二カバー部３２がなす左右方向の長さが、グリル庫２５の左右方向の長さＬ３よりも短くされている。このため、作業者は、グリル庫２５の上側にスライドさせた第一カバー部３１及び第二カバー部３２を、上下方向に互いに重ね合わせた状態で、グリル庫２５の左右方向の外側にはみ出すことなくグリル庫２５の上側に配置できる。このように、コンロ１は、第一カバー部３１と第二カバー部３２について燃料供給装置５１〜５４に液体がかからないための十分な大きさを確保でき、確認作業を行うための作業スペースも十分に確保できる。
【００３８】
以上説明したように、コンロ１は、筐体２に対して最終的に固定される前の状態の第一カバー部３１及び第二カバー部３２を、第一架設部材４１に沿って左右方向にスライドさせることができる。これにより、コンロ１は、確認作業のための作業スペースを、燃料供給装置５１〜５４の上側の位置に確保できる。作業者は、確認作業の終了後、第一カバー部３１及び第二カバー部３２のそれぞれを、第一架設部材４１に沿って筐体２の右部及び左部にスライドさせることで、最終的な取付位置に第一カバー部３１及び第二カバー部３２のそれぞれを容易に配置できる。したがって、コンロ１は、筐体２を左右方向に架設する第一架設部材４１を有していても確認作業を行いやすく、また、第一カバー部３１及び第二カバー部３２を筐体２に取り付けやすくできる。
【００３９】
第一カバー部３１及び第二カバー部３２の延設部３０１の上下方向の厚さである厚さＴ１は、グリル庫２５の上面から第一架設部材４１の下端部までの距離よりも小さい。よって、コンロ１は、筐体２に取り付けられる前の第一カバー部３１及び第二カバー部３２を、第一架設部材４１にくぐらせた状態のまま、グリル庫２５の上側に配置できる。このため、作業者は、確認作業を行いやすい。作業者は、確認作業の終了後、第一カバー部３１及び第二カバー部３２を第一架設部材４１に沿って移動させることで、第一カバー部３１及び第二カバー部３２のそれぞれを最終的な取付位置に配置できる。このように、確認作業時には第一カバー部３１及び第二カバー部３２をグリル庫２５の上側に退避させ、取付時には、第一カバー部３１及び第二カバー部３２を最終的な取付位置に容易に配置できる。よって、コンロ１は、第一架設部材４１を有していても、確認作業に必要な作業スペースを確保でき、第一カバー部３１及び第二カバー部３２を容易に取り付けることができる。
【００４０】
第一カバー部３１と第二カバー部３２とを重ね合わせた状態で、第一カバー部３１の延設部３０１及び第二カバー部３２の延設部３０１とがなす上下方向の厚さは、第一カバー部３１又は第二カバー部３２の延設部３０１単体の厚さＴ１とほぼ同じである。よって、コンロ１は、第一カバー部３１と第二カバー部３２とを重ね合わせた状態で、第一カバー部３１及び第二カバー部３２をグリル庫２５の上側に配置できる。したがって、コンロ１は、燃料供給装置５１，５２に対する確認作業と、燃料供給装置５３，５４に対する確認作業を、作業者に連続して行わせることができる。よって、コンロ１の生産性が向上する。
【００４１】
第一カバー部３１と第二カバー部３２とは同一形状であるので、コンロ１は、第一カバー部３１と第二カバー部３２とを上下方向にぴったりと重ね合わせたコンパクトな状態で、グリル庫２５の上側に配置できる。このため、確認作業に必要な作業スペースが筐体２の内部に十分に確保される。また、コンロ１は、第一カバー部３１と第二カバー部３２とを同一形状の同一部材とすることで、コンロ１の部品の管理コストを軽減できる。
【００４２】
第一カバー部３１及び第二カバー部３２の第一部分３０５は、延設部３０１の上面よりも一段下方に窪んだ形状に設けられる。このため、延設部３０１によって受け止められた液体は、第一部分３０５に移動する。第一部分３０５に後方から接続する第二部分３０６は、第一部分３０５よりも低い位置に設けられているので、第一部分３０５に溜まった液体は、第二部分３０６に移動し、後端部３０６Ａから延設部３０１の後方に向けて排出される。後端部３０６Ａは、前方から後方に向けて拡径するラッパ状に形成されているので、後端部３０６Ａから延設部３０１の後方に排出される液体が、後端部３０６Ａの下側に回って第二部分３０６の下面を伝いにくい。よって、コンロ１は、後端部３０６Ａから排出される液体が燃料供給装置５１〜５４にかかることを防止できる。
【００４３】
本実施形態において、コンロ１が、本発明の「コンロ」に相当する。筐体２が、本発明の「筐体」に相当する。グリル庫２５が、本発明の「グリル庫」に相当する。第一架設部材４１が、本発明の「架設部材」に相当する。右コンロバーナ４及び左コンロバーナ５が、本発明の「コンロバーナ」に相当する。燃料供給装置５１〜５４が、本発明の「燃料供給装置」に相当する。燃料供給装置５１，５２が「一部の燃料供給装置」に相当し、燃料供給装置５３，５４が「他の燃料供給装置」に相当する。右側壁部２１及び左側壁部２２が、本発明の「側壁」に相当する。右側壁部２１が、「第一側壁」に相当し、左側壁部２２が、「第二側壁」に相当する。前側壁部２３が、本発明の「前壁部」に相当する。第一カバー部３１が、本発明の「第一部材」に相当する。第二カバー部３２が、本発明の「第二部材」に相当する。第一カバー部３１の延設部３０１が、本発明の「第一延設部」に相当する。第二カバー部３２の延設部３０１が、「第二延設部」に相当する。第一カバー部３１の突出部３０２が、本発明の「第一突出部」に相当する。第二カバー部３２の突出部３０２が、本発明の「第二突出部」に相当する。右側部２５１が、本発明の「第一側部」に相当する。長さＭ１が、本発明の「第一長さ」に相当する。左側部２５２が、本発明の「第二側部」に相当する。長さＭ２が、本発明の「第二長さ」に相当する。第一部分３０５が、本発明の「第一部分」に相当する。第二部分３０６が、本発明の「第二部分」に相当する。
【００４４】
なお、本発明は上記実施形態に限定されるものではなく、種々の変更が可能である。例えば、第二部分３０６の形状は、Ｕ字状に窪む溝状に限られず、例えば、下方に一つの頂点を有する逆三角形状に窪んだ形状等、様々な形状であってもよい。
【００４５】
第一カバー部３１と第二カバー部３２とは、同一形状の同一部品でなくてもよい。例えば、第一カバー部３１と第二カバー部３２において、第一部分３０５及び第二部分３０６の形状及び大きさが共通し、延設部３０１の大きさが異なっていてもよい。例えば、第一カバー部の延設部３０１の右側部分３０１Ａと、第二カバー部の延設部３０１の右側部分３０１Ａとの左右方向の長さが異なっていてもよい。第一カバー部３１の延設部３０１の左側部分３０１Ｂと、第二カバー部の延設部３０１の左側部分３０１Ｂとの左右方向の長さが異なっていてもよい。この場合であっても、第一カバー部３１及び第二カバー部３２それぞれの第一部分３０５及び第二部分３０６を上下方向において同じ位置に配置した状態で、第一カバー部３１と第二カバー部３２とが厚みを増すことなくぴったりと上下方向に重ね合わせられ得る。
【００４６】
また、第一カバー部３１と第二カバー部３２において、第一部分３０５及び第二部分３０６の形状及び大きさが共通しなくてもよい。この場合であっても、上下方向に重ね合された第一カバー部３１と第二カバー部３２において、延設部３０１の部分の厚さがグリル庫２５の上面から第一架設部材４１の下端部までの距離よりも小さくされていればよい。
【００４７】
第一カバー部３１及び第二カバー部３２の形状が共通しない等の理由で、上下方向に重ね合された第一カバー部３１と第二カバー部３２における延設部３０１の部分の厚さがグリル庫２５の上面から第一架設部材４１の下端部までの距離よりも大きくてもよい。この場合であっても、第一カバー部３１単体、第二カバー部３２単体の厚さＴ１がグリル庫２５の上面から第一架設部材４１の下端部までの距離よりも小さければ、第一カバー部３１と第二カバー部３２とが交互にグリル庫２５の上側に退避可能である。
【００４８】
第二部分３０６の後端部３０６Ａの下端から延設部３０１の上面までの長さに相当する厚さＴ１が、グリル庫２５の上面から第一架設部材４１の下端部までの距離よりも大きくてもよい。筐体２の内部において、第一架設部材４１の下側をくぐるように配置された第一カバー部３１及び第二カバー部３２のうち、延設部３０１のうち第一部分３０５が設けられる部分が、第一架設部材４１の真下の位置に配置される。よって、少なくとも、第一架設部材４１の真下の位置に配置される部分の厚さが、第一部分３０５の下端から延設部３０１の上面までの長さよりも小さくされていればよい。したがって、第一部分３０５の下端から延設部３０１の上面までの長さに相当する厚さＴ２（図４参照）が、グリル庫２５の上面から第一架設部材４１の下端部までの距離よりも小さくなるように形成されていてもよい。この場合、厚さＴ１がグリル庫２５の上面から第一架設部材４１の下端部までの距離よりも大きくされていたとしても、厚さＴ２がグリル庫２５の上面から第一架設部材４１の下端部までの距離よりも小さい。これにより、作業者は、確認作業時に、第一カバー部３１及び第二カバー部３２を燃料供給装置５１〜５４の上側から、燃料供給装置５１〜５４が配置されないグリル庫２５の上側に退避させることができる。
【符号の説明】
【００４９】
１    コンロ
２    筐体
４    右コンロバーナ
５    左コンロバーナ
２１    右側壁部
２２    左側壁部
２３    前壁部
２５    グリル庫
５１〜５４    燃料供給装置
３１    第一カバー部
３２    第二カバー部
３０１    延設部
３０２    突出部
３０５    第一部分
３０６    第二部分
Ｍ１，Ｍ２    長さ
Ｔ１，Ｔ２    厚さ
【図１】
2019023538.tif 000003
【図２】
2019023538.tif 000004
【図３】
2019023538.tif 000005
【図４】
2019023538.tif 000006
【図５】
2019023538.tif 000007
【図６】
2019023538.tif 000008